(57)【特許請求の範囲】
【請求項１】
レーザ加工機に装備される光路系の防塵装置であって、
レーザ光が通過する上部が開口する略Ｕ字形状の断面形状を有する光路ダクトと、光路ダクトの開口部を覆うスチールベルトと、光路ダクトの上面に配置されるスチールベルトの両側部を吸着する磁性ゴムベルトと、光路ダクトに沿って走行しつつベルトを持ち上げてレーザ光を取り出すレーザ光取出し装置とを備え、
スチールベルトは、上面の中央部にガイド用のゴム材でつくられる突部を有し、
レーザ光取出し装置は、ベルトを光路ダクトに押圧するベルトの突部に係合する溝を有するガイドローラと、ベルトの下側に配設されてベルトを上昇位置に案内するストレートローラと、ベルトの上側に配設されてベルトをストレートローラの間で挟むベルトの突部に係合する溝を有するガイドローラを備えるレーザ加工機光路系の防塵装置。
【発明の詳細な説明】
【技術分野】
【０００１】
本発明は、レーザ加工機等に装備される光路系の防塵装置に関する。
【背景技術】
【０００２】
レーザ加工機にあっては、固定されたレーザ発振装置から出力されるレーザ光を高速で移動する加工ヘッドまで供給するレーザ光路系が装備される。
本発明を実施するレーザ加工機は、ワークを載置したパレットを収容するベッドと、ベッドの両側に設けられるガイドレールに案内されてヘッド上の長手方向に沿って高速移動するコラムと、コラム上を設けられるガイドレールに沿ってコラムの移動方向に直交する方向に高速移動する加工ヘッドを備える。
レーザ加工機に装備されるレーザ光路系は、ベッドの長手方向に沿って設けられる光路ダクトと、コラムと同期して移動し、光路ダクト内のレーザ光をミラー等でとり出してコラム側へ送るレーザ光取出し装置が配設される。
光路ダクトは、上部が開口する断面がＵ字状の部材であって、内部にレーザ光が照射される。そこで、光路ダクトの上面は、スチールベルトで覆われ、レーザ光取出し装置が通過する部分のみ、スチールベルトを案内ローラで持ち上げてレーザ光を取り出す防塵装置が採用されている。
下記の特許文献は、本出願人が出願したレーザ加工機の防塵装置を開示する。
【特許文献１】特開２００５−２９７０２９
【発明の開示】
【発明が解決しようとする課題】
【０００３】
上述した特許文献に記載されたレーザ加工機の防塵装置にあっては、光路ダクトの両側部に磁性ゴムベルトを配設して、スチールベルトを吸着し、ダクト内への異物の浸入を防止する構成となっている。
しかしながら、レーザ光取出し装置の通過に伴ない、スチールベルトがガイドローラにより吸着磁力に抗して強制的に持ち上げられ、通過後に磁性ゴムベルト上に降下したときに、元の位置に戻されずに、ずれた位置に戻されることが起こる。
このスチールベルトの昇降動に伴なう戻り位置のずれは、ガイドローラとの間で擦れによるゴミを発生させ、防塵作用の低下の原因となり、またレーザ光取出し装置が高速で通過する際にスチールベルトを損傷する原因ともなる。
本発明の目的は、上述した不具合を解消するレーザ加工機の防塵装置を提供するものである。
【課題を解決するための手段】
【０００４】
上記目的を達成するために、本発明の光路系の防塵装置は、レーザ光が通過する上部が開口する光路ダクトと、該光路ダクトの開口部を覆うスチールベルトと、上記光路ダクトの上面に配設されて、上記スチールベルトの両側部を吸着する磁性ゴムベルトと、上記スチールベルトを上記光路ダクトに押圧するガイドローラ及び上記スチールベルトの下側に配設されて該スチールベルトを上昇位置に案内するストレートローラを含み上記光路ダクトに沿って走行しつつ上記スチールベルトを持ち上げてレーザ光を取り出すレーザ光取出し装置とを備えてなるレーザ加工機に装備される光路系の防塵装置であることをもって発明の前提とした上で、上記スチールベルトには、該スチールベルト上面の中央部にガイド用のゴム材突条が設けられるとともに、上記レーザ光取出し装置の上記ガイドローラには、上記スチールベルト上面の上記ガイド用のゴム材突条に係合する溝が設けられていることをもって発明の特徴とするものである。
また、上記レーザ光取出し装置は、上記スチールベルトを上記光路ダクトに押圧する上記ガイドローラとは別に、上記スチールベルトの上側に配置されて該スチールベルトを上記ストレートローラとの間で挟む溝付きのガイドローラを備えたことをもって発明の特徴とするものである。
【発明の効果】
【０００５】
本発明は以上のように、光路ダクトの上部の開口部を覆うスチールベルトの上面の中央部にガイド用のゴム材突条を設け、光路ダクトを走行しつつスチールベルトを持ち上げてレーザ光を取り出す。レーザ光取出し装置は、このスチールベルトのゴム材突条に係合する溝を有するガイドローラを備えるので、スチールベルトの蛇行が防止され、レーザ光の光路系の防塵効果を向上することができる。
【発明を実施するための最良の形態】
【０００６】
図１は、本発明のレーザ加工機の光路系の要部を示す斜視図、図２は光路ダクトの断面図、図３は防塵用のスチールベルトとガイドローラの説明図である。
全体を符号１で示すレーザ加工機の光路系は、光路ダクト１０を備え、光路ダクト上を矢印Ａ方向に高速で移動するレーザ光取出し装置５０，７０が装備される。レーザ光取出し装置５０には、ミラー５２等の必要な機器が搭載される。
【０００７】
図２に示すように、光路ダクト１０は、略Ｕ字形状の断面形状を有し、内部にレーザ光が通過する空間１２が形成される。光路ダクト１０の上部は開放され、その両側の内側には、フランジ１４が設けられる。フランジ１４の上面には、例えば、磁性粉材をゴムに含浸させた磁性ゴムベルト１８が敷設される。
この磁性ゴムベルト１８は、光路ダクト１０の上部の開口部を覆うスチールベルト３０の両側下面を吸着して、光路ダクト１０内への異物の浸入を防止する。
このスチールベルト３０の上面の中央部には、ガイド用の突条３２が設けられている。この突条３２は、例えばゴム材を帯状にしてつくられたゴム材突条であり、該ゴム材突条３２はスチールベルト３０上面中央部に接着剤等で接着して形成することができる。
【０００８】
図１〜図３は、レーザ光取出し装置５０に装備されるガイドローラのレイアウトを示す。
レーザ光取出し装置５０は、フレーム５１に配設される６本のガイドローラを有する。スチールベルト３０の上側に配設される４本のガイドローラ６１，６２，６３，６４は、それぞれ中央部にＶ字形の溝６１ａ，６２ａ，６３ａ，６４ａを有する。
【０００９】
各ガイドローラの溝は、スチールベルト３０のゴム材突条３２に係合して、スチールベルト３０の横方向への移動を規制する。ガイドローラ６２，６３はスチールベルト３０を上昇させて、レーザ光を光路ダクト１０から上方に向けて取出すための隙間を形成する。このために、ガイドローラ６２のスチールベルト３０の下側には、ガイドローラ６２と協働してスチールベルトを挟んで案内するストレートローラ６５，６６が配設される。このストレートローラ６５はスチールベルトのゴム材突条３２のない下面に接するので、円筒形状のストレートローラが使用される。
【００１０】
光路ダクト１０のフランジ部１６の上方には、防塵用の壁１６が形成される。レーザ光取出し装置５０のフレーム５１の下部には、この壁１６を挟むスカート部５４が設けられる。すなわち、固定側の壁１６と移動側のスカート部５４の間で、いわゆるラビリンス機構が形成され、光路１２側への異物の侵入が防止される。
【図面の簡単な説明】
【００１１】
【図１】レーザ加工機の光路系の要部を示す斜視図。
【図２】光路ダクトの断面図。
【図３】スチールベルトとガイドローラの説明図。
【符号の説明】
【００１２】
１  レーザ加工機の光路系
１０  光路ダクト
１８  磁性ゴムベルト
３０  スチールベルト
３２  ゴム材突条
５０  レーザ光取出し装置
６１，６２，６３，６４  ガイドローラ
６１ａ，６２ａ，６３ａ，６４ａ  Ｖ字形溝
６５，６６  ストレートローラ
【図１】
0005014615.tif 000002
【図２】
0005014615.tif 000003
【図３】
0005014615.tif 000004